(57)【要約】【課題】軒樋をしっかりと支持するとともに、軒樋の軒先からの出寸法を調節することが可能な軒樋吊具を提供する。【解決手段】吊下げ手段２は、吊下げ部２１と、その前後両端部に延設された前耳係止部２２と後耳係止部２３とからなり、上記支持手段１は、軒先に固定される固定部１１と、該固定部１１の上部に突設され、下方に開口する略コ字型の支持腕１２とからなり、該支持腕１２は、上記吊下げ部２を前後にスライド自在に支持するとともに、その中央部下面に上記後耳係止部２３の天面と当接するリブ１２１が設けられる。【選択図】図６
2004238920.tif 000002
【特許請求の範囲】
【請求項１】
前耳と後耳とを有する軒樋を吊下げる吊下げ手段と、この吊下げ手段を支持する支持手段とからなる軒樋の吊具であって、上記吊下げ手段は、吊下げ部と、その前後両端部に延設された前耳係止部と後耳係止部とからなり、上記支持手段は、軒先に固定される固定部と、該固定部の上部に突設され、下方に開口する略コ字型の支持腕とからなり、該支持腕は、上記吊下げ部を前後にスライド自在に支持するとともに、その中央部下面には上記後耳係止部の天面と当接するリブが設けられたことを特徴とする軒樋吊具。
【請求項２】
上記支持腕の端部に孔部を設け、上記吊下げ部を正断面略Ｉ字型とし、該吊下げ部の上面フランジに長孔を設けるとともに、該長孔の直下のウエブに切り欠き部を設け、上記孔部と長孔とを挿通する螺合手段によって緊緩自在に螺合し、上記吊下げ手段を長孔の長さの範囲内でスライド自在とした請求項１に記載の軒樋吊具。
【請求項３】
上記螺合手段がボルトと蝶ナットとからなる請求項２に記載の軒樋吊具。
【請求項４】
上記後耳係止部の天面に凸条を設けるとともに、上記支持腕の中央部下面に上記凸条と遊嵌するリブが２本設けられた請求項１に記載の軒樋吊具。
【請求項５】
上記長孔を穿設した上面フランジの側面にメジャーが付設された請求項１に記載の軒樋吊具。
【発明の詳細な説明】
【０００１】
【発明の属する技術分野】
本発明は、軒樋吊具に関する。さらに詳しくは、前耳と後耳とを有する軒樋を吊下げる吊下げ手段と、この吊下げ手段を支持する支持手段とからなる軒樋吊具に関する。
【０００２】
【従来の技術】
軒樋を吊下げ、支持する軒樋吊具は、一般的に、軒樋の軒先からの施工位置を調整できない固定吊具と、上記施工位置を調整できる調整式吊具に大別できる。上記調整式吊具は、軒樋を吊下げる手段と、この吊下げ手段を支持するとともに、軒先に固定される支持手段とから構成され、各種の調整式吊具に係る先行技術が知られている。（例えば、特許文献１、２、３参照。）。
【０００３】
【特許文献１】
特開平７−１０２７１１号公報（第１−３頁、第１図、第２図）
【特許文献２】
特開平５−２３９８９４号公報（第１−３頁、第１図、第２図）
【特許文献３】
特開平１１−２４１４６９号公報（第１−５頁、第１図、第２図、第３図）
【０００４】
【発明が解決しようとする課題】
近年、強度、弾性、成型性等、諸物性に優れた合成樹脂、例えば、硬質塩化ビニル樹脂、ポリカーボネート等が容易に入手可能となり、これらを用いた軒樋吊具が提案されている。例えば、特開平７−１０２７１１号公報には、軒樋を下げる手段が、この吊下げ手段を支持する支持手段にスライド自在に取付けられ、上記支持手段の下部を水平とした当接部に、上記吊下げ手段の一端部が上記水平当接部の下面に接触するように構成された軒樋吊具が提案されている。
【０００５】
しかしながら、このように構成された軒樋吊具においては、上記吊下げ手段の一端部が上記水平当接部の下面に当接して荷重を分散させ、この吊下げ手段を安定にしているため、強い風が吹いたり、外部から衝撃が加わると、接触面がずれたり、外れたりするおそれがある。本発明は、このような問題を解決するためになされたものであり、強い風が吹く等、外部から力が加わっても安定して荷重を分散させ、軒樋をしっかりと支持するとともに、軒樋の軒先からの出寸法を調節することが可能な軒樋吊具を提供することをその課題とする。
【０００６】
【課題を解決するための手段】
本発明は、上記課題を解決するために考え出されたものであって、つぎのような技術的手段を講じている。すなわち、本発明によれば、前耳と後耳とを有する軒樋を吊下げる吊下げ手段と、この吊下げ手段を支持する支持手段とからなる軒樋の吊具であって、上記吊下げ手段は、吊下げ部と、その前後両端部に延設された前耳係止部と後耳係止部とからなり、上記支持手段は、軒先に固定される固定部と、該固定部の上部に突設され、下方に開口する略コ字型の支持腕とからなり、該支持腕は、上記吊下げ部を前後にスライド自在に支持するとともに、その中央部下面には上記後耳係止部の天面と当接するリブが設けられたことを特徴とする軒樋吊具が提供される。このようにすることにより、強い風が吹く等、外部から力が加わっても安定して荷重を分散させ、軒樋をしっかりと支持するとともに、軒樋の軒先からの出寸法を前後に調節することが可能となる。
【０００７】
上記軒樋吊具は、上記支持腕の端部に孔部を設け、上記吊下げ部を正断面略Ｉ字型とし、該吊下げ部の上面フランジに長孔を設けるとともに、該長孔の直下のウエブに切り欠き部を設け、上記孔部と長孔とを挿通する螺合手段によって緊緩自在に螺合し、上記吊下げ手段が長孔の長さ方向にスライド自在とされる。このようにすることにより、長孔の長さの範囲内で上記吊下げ手段の出寸法を調節することが可能となり、軒樋の軒先からの位置を調節して作業性よく施工することができる。
【０００８】
上記螺合手段がボルトと蝶ナットとからなることが好ましい。このようにすることにより、螺合部の蝶ナットを緩めるだけで上記吊下げ手段を長孔の長さ方向に自由にスライドさせることでき、容易に吊下げ手段の出寸法を調節することが可能となる。
【０００９】
上記後耳係止部の天面に凸条を設けるとともに、上記支持腕の中央部下面に上記凸条と遊嵌するリブが２本設けられることが好ましい。このようにすることにより、吊下げ手段が、さらにスムースにスライド可能となり、また、支持手段は、上記螺合部と上記２本のリブとに荷重を分散させて、軒樋をしっかりと支持することができる。
【００１０】
上記長孔を穿設した上面フランジの側面にメジャーを付設することが好ましい。このようにすることにより、本発明の軒樋吊具を多数組用いて施工する場合、軒先からの出寸法が最も好適となるように軒樋の位置を決め、そのときの螺合部の位置をメジャーで測定し、すべての軒樋吊具の螺合部をその数値の位置で締めれば、効率よく、見栄えよく、軒樋の施工を行うことができる。
【００１１】
【発明の実施の形態】
以下、本発明にかかる軒樋吊具の好ましい実施の形態について、図面を参照して、さらに詳細に説明する。図１（ａ）は、軒樋の吊下げ手段２を支持する支持手段１を示す斜視図であり、図１（ｂ）は、図１（ａ）におけるＸ−Ｘ線に沿う正断面図である。図１（ａ）、（ｂ）からよくわかるように、上記支持手段１は、軒先に固定される固定部１１と、この固定部１１の上部から、やや下向きに突設された支持腕１２とからなり、この支持腕１２の端部には孔部１３が設けられている。また、支持腕１２は下方に開口した略コ字型をしており、開口部の左右は、左垂下部１２２、右垂下部１２３とされ、その天井部下面には、リブ１２１が凸設されている。
【００１２】
図２は、吊下げ手段２を支持手段１に取り付ける状態を示す部分側断面図である。図２からよくわかるように、吊下げ手段２は、ウエブ２１１と、上面フランジ２１２および下面フランジ２１３とからなる正断面略Ｉ字型の吊下げ部２１と、その両端に延設された軒樋Ｔの前耳Ｔ１を係止する前耳係止部２２と、後耳Ｔ２を係止する後耳係止部２３とから構成されている。上面フランジ２１２には長孔２１５が設けられ、この長孔２１５の直下のウエブ２１１には、切り欠き部２１４が設けられるとともに、ボルトＢが、この切り欠き部２１４から長孔２１５を経て、孔部１３を挿通し、蝶ナットＮと螺合して固定される。
【００１３】
上記のようにして支持手段１が、吊下げ手段２をボルトＢと蝶ナットＮとの螺合部で支持した状態を図３に示す。図３からよくわかるように、吊下げ手段２は、上記螺合部の蝶ナットＮを緩めれば、長孔２１５の長さの範囲内でスライド自在であり、吊下げ手段２の出寸法を調節して、軒先からの最も好適な位置に軒樋Ｔを施工することができる。
【００１４】
図４は、図３におけるＹ−Ｙ線に沿う正断面図である。図４からよくわかるように、上記後耳係止部２３の天面は、下向きに開口した支持腕１２に遊嵌し、開口部の左右垂下部１２２、１２３によって前後にスライド自在に案内され、かつ、ガードされる。一方、上記支持腕１２の天井部下面のほぼ中央にはリブ１２１が凸設され、上記後耳係止部２３の天面は、このリブ１２１と当接する。すなわち、支持手段１は、既述のように支持腕１２の端部におけるボルトＢと蝶ナットＮとの螺合部で吊下げ手段２を支持するとともに、この螺合部を支点として逆のモーメントとなった力をリブ１２１で受けることとなり、荷重を２点に分散させることができる。さらに、強い風が吹く等、外部から力が加わっても、左右垂下部１２２、１２３が、後耳係止部２３がずれたり、外れたりしないようにガードし、軒樋Ｔをしっかりと支持することができる。
【００１５】
図５は、本発明の他の実施形態にかかる側断面図であり、図４におけるリブ１２１を２本とし、上記後耳係止部２３の天面に凸条２３１を設け、上記２本のリブ１２１の間に凸条２３１をスライド自在に遊嵌した状態を示す。図５からよくわかるように、凸条２３１は、２本のリブ１２１によって挟まれるように保持され、また、上記後耳係止部２３の天面それ自身は、支持腕１２に遊嵌するとともに、開口部の左右垂下部１２２、１２３によってガードされる。このようにすることにより、吊下げ手段２は、さらにスムースにスライド可能となり、また、支持手段１は、螺合部と上記２本のリブとに荷重を分散させて、軒樋Ｔをしっかりと支持することができる。
【００１６】
図６は、本発明にかかる軒樋吊具において、長孔２１５を設けた上面フランジ２１２の側面にメジャー３を付設した状態を示す部分側断面図である。このようにすることにより、本発明の軒樋吊具を多数組用いて施工する場合、軒先からの出寸法が最も好適となるように軒樋Ｔの位置を決め、そのときの螺合部の位置をメジャー３で測定し、すべての軒樋吊具の螺合部をその数値の位置に合わせて締めれば、効率よく、見栄えよく、軒樋Ｔの施工を行うことができる。
【００１７】
【発明の効果】
以上述べたように、請求項１に記載の発明は、前耳Ｔ１と後耳Ｔ２とを有する軒樋Ｔを吊下げる吊下げ手段２と、この吊下げ手段２を支持する支持手段１とからなる軒樋Ｔの吊具であって、上記吊下げ手段２は、吊下げ部２１と、その前後両端部に延設された前耳係止部２２と後耳係止部２３とからなり、上記支持手段１は、軒先に固定される固定部１１と、該固定部１１の上部に突設され、下方に開口する略コ字型の支持腕１２とからなり、該支持腕１２は、上記吊下げ部２１を前後にスライド自在に支持するとともに、その中央部下面には上記後耳係止部２３の天面と当接するリブ１２１が設けられたことを特徴とする軒樋吊具である。このようにすることにより、強い風が吹く等、外部から力が加わっても、軒樋Ｔをしっかりと支持するとともに、軒樋Ｔの軒先からの出寸法を調節することが可能な軒樋吊具を提供することができる。
【００１８】
請求項２に記載の発明は、上記軒樋吊具が、上記支持腕１２の端部に孔部１３を設け、上記吊下げ部２１を正断面略Ｉ字型とし、該吊下げ部２１の上面フランジ２１２に長孔２１５を設けるとともに、該長孔２１５の直下のウエブ２１１に、切り欠き部２１４を設け、上記孔部１３と長孔２１５とを挿通する螺合手段によって緊緩自在に螺合し、上記吊下げ手段２が長孔２１５の長さ方向にスライド自在とされる。このようにすることにより、請求項１に記載の発明の効果に加えて、長孔２１５の長さ方向の範囲内で上記吊下げ手段２の出寸法を容易に調節することが可能となり、軒樋Ｔの軒先からの位置を調節して作業性よく施工することができる。
【００１９】
請求項３に記載の発明は、上記螺合手段がボルトＢと蝶ナットＮとから構成される。このようにすることにより、請求項２に記載の発明の効果に加えて、螺合部の蝶ナットＮを緩めるだけで上記吊下げ手段２を長孔２１５の長さ方向に自由にスライドさせることでき、容易に吊下げ手段２の出寸法を調節することが可能となる。
【００２０】
請求項４に記載の発明は、上記後耳係止部２３の天面に凸条２３１を設けるとともに、上記支持腕１２の中央部下面に上記凸条２３１と遊嵌するリブ１２１が２本設けられる。このようにすることにより、請求項１に記載の発明の効果に加えて、吊下げ手段２が、さらにスムースにスライド可能となり、また、支持手段１は、螺合部と上記２本のリブ１２１とに荷重を分散させ、軒樋Ｔをしっかりと支持することができる。
【００２１】
請求項５に記載の発明は、上記長孔２１５を設けた上面フランジ２１２の側面にメジャー３が付設される。このようにすることにより、請求項１に記載の発明の効果に加えて、本発明の軒樋吊具を多数組用いて施工する場合、軒先からの出寸法が最も好適となるように軒樋Ｔの位置を決め、そのときの螺合部の位置をメジャー３で測定し、すべての軒樋吊具の螺合部をその数値の位置で締めれば、効率よく、見栄えよく、軒樋Ｔの施工を行うことができる。
【図面の簡単な説明】
【図１】（ａ）本発明の軒樋吊具にかかる支持手段を示す斜視図である。
（ｂ）図１（ａ）におけるＸ−Ｘ線に沿う正断面図である。
【図２】吊下げ手段を支持手段に取り付ける状態を示す部分側断面図である。
【図３】本発明の軒樋吊具を示す斜視図である。
【図４】図３におけるＹ−Ｙ線に沿う正断面図である。
【図５】本発明の軒樋吊具にかかる支持手段の他の実施形態を示す正断面図である。
【図６】螺合部の位置を示すメジャーを上面フランジの側面に付設した状態を示す部分側断面図である。
【符号の説明】
１          支持手段
１１        固定部
１２        支持腕
１２１      リブ
１２２      左垂下部
１２３      右垂下部
１３        孔部
２          吊下げ手段
２１        吊下げ部
２１１      ウエブ
２１２      上面フランジ
２１３      下面フランジ
２１４      切り欠き部
２１５      長孔
２２        前耳係止部
２３        後耳係止部
２３１      凸条
３          メジャー
Ｂ          ボルト
Ｎ          蝶ナット
Ｔ          軒樋
Ｔ１        前耳
Ｔ２        後耳
【図１】
2004238920.tif 000003
【図２】
2004238920.tif 000004
【図３】
2004238920.tif 000005
【図４】
2004238920.tif 000006
【図５】
2004238920.tif 000007
【図６】
2004238920.tif 000008